(57)【特許請求の範囲】
【請求項１】
小型ガス湯沸器とガスコンロの設置場所が上下で重なる場合に、小型ガス湯沸器の前面からガスコンロの背面へ長さが十分足りるまたは繋ぎ足し、ガスコンロの排気が分離でき小型ガス湯沸器へ入らない程度の幅がある板からなり、小型ガス湯沸器の前面に板を垂らすとともに、手前にガスコンロ、奥に小型ガス湯沸器、ガスコンロと小型ガス湯沸器の間に板を配置し、板の下端がガスコンロの天板より下の背面に位置することを特徴とする小型ガス湯沸器用ガスコンロの排気給気防止カバー。
【発明の詳細な説明】
【技術分野】
【０００１】
本発明はおもに家庭用に使用する小型ガス湯沸器について、正面から見てガスコンロの上の少しでも重なる位置に小型ガス湯沸器がある場合、ガスコンロの排気（ガスコンロの排気とはガスコンロから出る二酸化炭素と鍋等から出る水蒸気や油飛散等である。）が小型ガス湯沸器に入らないようにするための有効な防護措置としての小型ガス湯沸器用ガスコンロの排気給気防止カバーであり、ガスコンロの排気によっておこる小型ガス湯沸器の不完全燃焼を防止するものである。
【背景技術】
【０００２】
小型ガス湯沸器の底部に板をつけて排気が入らないようにしたものがあるが、小型ガス湯沸器の側面部にも給気口があり、そこから排気を給気するため意味のないものである。近年、小型ガス湯沸器の安全装置は一つの小型ガス湯沸器に何種類もあり多くの安全装置で安全を確保している。しかし、不完全燃焼すると使用ができなくなるケースや古い小型ガス湯沸器では不完全燃焼防止装置がないものがあり、ＣＯの発生による事故の可能性がある。不完全燃焼の原因の一つであるガスコンロの排気を給気せずに小型ガス湯沸器を使用できるようにすることは急務である。
【先行技術文献】
【非特許文献】
【０００３】
【非特許文献１】ガス機器設置技能資格制度運営委員会発行  平成２３年講習テキスト「ガス機器設置スペシャリスト講習テキスト  ＧＳＳ講習（講義講習編）」第三章  ガス機器の設置基準と関連法規                                              三・１屋内設置危機の給排気設備                                                      ２開放式ガス機器                                                            （３）解説                                                                １．開放式ガス機器としては、ガス調理器、小型の瞬間湯沸器および小型のストーブ等があります。２．開放式ガス機器を屋内に設置する場合、換気が悪いと、時間の経過とともに屋内空気が燃焼排ガスで汚染されます。これに伴い、燃焼に必要な空気が不足してガス機器が不完全燃焼をおこし、一酸化炭素中毒の原因となります。３．次の場所に開放式ガス機器を設置してはいけません。                              ・小型の湯沸器の、浴室内への設置・有効な防護措置のない小型のガス湯沸器の、コンロ直上への設置
【発明の概要】
【発明が解決しようとする課題】
【０００４】
非特許文献の内容（有効な防護措置のない小型のガス湯沸器の、コンロ直上への設置をしてはならない。）から解釈し、正面から見てガスコンロの上の少しでも重なる位置に小型ガス湯沸器がある場合の有効な防護措置なしで設置してはならないことから、この有効な防護措置として、小型ガス湯沸器とガスコンロの空気の流れを分離することで、ガスコンロの排気を給気せずに小型ガス湯沸器を使用できるようにする。
【課題を解決するための手段】
【０００５】
小型ガス湯沸器の前面からガスコンロの背面へ不燃物等でできている板、布、シート等（以下板と表現する。）を小型ガス湯沸器に金具等で固定し、小型ガス湯沸器の前面に板を垂らすとともに、板の裾をガスコンロの背面に固定等し、ガスコンロと小型ガス湯沸器の空気の流れを分離し、ガスコンロの排気は板の前を上昇し、小型ガス湯沸器の給気口には流れず小型ガス湯沸器は板の背面側から給気することで排気ガスを含まない空気を使用して燃焼する。したがって、小型ガス湯沸器はガスコンロの排気を給気することなくガスコンロの背面部のみの空気を給気し、小型ガス湯沸器が不完全燃焼せずに使用できる。
【発明の効果】
【０００６】
正面から見てガスコンロの上の少しでも重なる位置に小型ガス湯沸器がある場合ガスコンロの排気を小型ガス湯沸器で給気しなくなりこの原因によるＣＯの発生を防止でき、ＣＯ中毒発生の一因を防止できる。  
【図面の簡単な説明】
【０００７】
【図１】板（小型ガス湯沸器用ガスコンロの排気給気防止カバー）左図板無、右図板有
【符号の説明】
【０００８】
１  小型ガス湯沸器
２  ガスコンロ
３  板（小型ガス湯沸器用ガスコンロの排気給気防止カバー）
４  板の給気口
５  小型ガス湯沸器の側面給気口
【発明を実施するための形態】
【０００９】
不燃物等でできた板を小型ガス湯沸器の前面から下へ垂らし、ガスコンロの背面へ板を延ばしまたは繋ぎ足しガスコンロの天板よりも下へ板の下端が位置するようにし、板の幅はガスコンロの排気が分離でき小型ガス湯沸器へ入らない程度の幅がある板であること、板が狭い場合は板の左右を小型ガス湯沸器側へ折り曲げることでガスコンロの排気が入らないようにする。小型ガス湯沸器のセンターとガスコンロのセンターがずれた時、例えばガスコンロが右にずれた時は右側のみ小型ガス湯沸器の方へ折り曲げガスコンロの排気が入らないようにする。ただし、小型ガス湯沸器側面給気口をふさがないことに注意することが必要である。小型ガス湯沸器の給気はガスコンロの背面で天板より下およびガスコンロの背面の側面から行い、ガスコンロから上昇する排気が小型ガス湯沸器へ入らないようにする。小型ガス湯沸器の操作部は板で囲わず操作可能にする。また、この板の一部または全体の幅等を広くし、ガスコンロの背面と左右３面を囲うことで油飛散防止の効果が高くなる。
【実施例１】
【００１０】
図１の如く、小型ガス湯沸器の前面からガスコンロの背面へ不燃物等でできている板を垂らし使用することで、空気の流れを分離する。
【産業上の利用可能性】
【００１１】
公営アパート等で台所が狭く小型ガス湯沸器とガスコンロの設置場所が上下で重なる場合があるが、ガス器具の設置上の要件として、ガスコンロの排気の問題で正面から見てガスコンロの上の少しでも重なる位置に有効な防護措置なしで小型ガス湯沸器を設置してはならないことになっている。本発明を利用することにより、この設置上の要件の有効な防護措置になると確信する。
【要約】      （修正有）【課題】小型ガス湯沸器の設置要件を満たすため、正面から見てガスコンロの上の少しでも重なる位置に小型ガス湯沸器がある場合に、小型ガス湯沸器とガスコンロの空気の流れを分離することで、ガスコンロの排気を給気せずに小型ガス湯沸器を使用できることを提供する。【解決手段】小型ガス湯沸器１の前面からガスコンロ２の背面へ不燃物等でできている板３を垂らし、ガスコンロと小型ガス湯沸器の空気の流れを分離することで、小型ガス湯沸器はガスコンロの排気を給気することなくガスコンロの背面部のみの空気を給気し、小型ガス湯沸器が正常に使用できる。【選択図】図１【図１】
0005477601.tif 000002